(57)【要約】      （修正有）【課題】不使用時にはコンパクトに折畳むことができて収納しやすく、使用時にはフラットな面とすることができて使いやすい折畳式ボードを提供する。【解決手段】複数のクッション性を有する平板状体６ａ，６ｂ〜６ｈを、第１折曲部２ａ，２ｂ〜２ｇを介して連設し、該平板状体が同一平面状に配設される使用状態と、該第１折曲部を介して折曲げられて、渦巻状とされる不使用状態との変位を可能とした折畳式ボードである。【選択図】図１
0003143988.tif 000002
【実用新案登録請求の範囲】
【請求項１】
複数のクッション性を有する平板状体を第１折曲部を介して連設し、平板状体が同一平面状に配設される使用状態と、第１折曲部を介して折曲げられて渦巻状とされる不使用状態との変位を可能としたことを特徴とする折畳式ボード。
【請求項２】
前記第１折曲部と直交する方向に、前記平板状体を折曲可能とする第２折曲部を有することを特徴とする請求項１の折畳式ボード。
【請求項３】
渦巻状とされた不使用状態において、前記第１折曲部が外側を向くことを特徴とする請求項１又は請求項２の折畳式ボード。
【請求項４】
渦巻状とされた不使用状態において、前記第１折曲部が内側を向くことを特徴とする請求項１又は請求項２の折畳式ボード。
【請求項５】
不使用状態における渦巻状が矩形状であることを特徴とする請求項１〜請求項４のいずれか１項の折畳式ボード。
【請求項６】
不使用状態における渦巻状が楕円形状であることを特徴とする請求項〜請求項４のいずれか１項の折畳式ボード。
【請求項７】
複数のクッション性を有する平板状体を折曲部を介して連設されてなるボード本体と、前記ボード本体を渦巻状に巻取る芯部材とを備え、前記芯部材は自由状態で前記ボード本体を渦巻状に維持する弾性力を有し、この弾性力に抗した引出し力の付与にてボード本体の展開を許容することを特徴とする折畳式ボード。
【考案の詳細な説明】
【技術分野】
【０００１】
本考案は、所定厚さを有する平板状体からなる折畳式ボードに関するものである。
【背景技術】
【０００２】
例えば、キャンプやレジャー等で人体の保温・保護を目的としてボードやマット等の平板状体が使用される（特許文献１）。特許文献１のものは、所定厚さと弾性を有するマットについて、所定間隔毎に、僅かな厚みを残して表裏交互に切込みを設けている。これにより、不使用時において、切込みが外側になるように折り曲げると、マットを蛇腹状に折畳んでコンパクトに収納することができる。さらには、不使用時において、マットやボードを丸巻状としてコンパクト化する方法もある。
【特許文献１】特開平５−２１１９１７号公報
【考案の開示】
【考案が解決しようとする課題】
【０００３】
前記特許文献１に記載のものは、主な素材として、スポンジ状発泡合成樹脂が使用されている。このような弾性を有する素材のマットやボードを蛇腹状に折畳むと、収納時に折癖が表裏についてしまう。このため、このようなマットやボードを展開しても、折癖が影響してフラットになりにくい。また、丸巻状とするものも、収納中に巻癖がついてしまい、マットやボードを展開しても、巻癖が影響してフラットになりにくい。このため、使用時においてマットやボードを均一な平面状とすることができず、使いにくいものとなるという問題があった。
【０００４】
本考案は、上記課題に鑑みて、不使用時にはコンパクトに折畳むことができて収納しやすく、使用時にはフラットな面とすることができて使いやすい折畳式ボードを提供する。
【課題を解決するための手段】
【０００５】
本考案の折畳式ボードは、複数のクッション性を有する平板状体を第１折曲部を介して連設し、平板状体が同一平面状に配設される使用状態と、第１折曲部を介して折曲げられて渦巻状とされる不使用状態との変位を可能としたものである。
【０００６】
本考案の折畳式ボードによれば、平板状体自体を折り曲げるものではないため、折曲部を介して折畳んでも平板状体に折目がつきにくくなり、従来の蛇腹状に折畳んだ場合と比較して平板状体自体に折癖がつくのを防止することができる。また、平板状体の展開時に端部がはね上がりにくくなって、従来の丸巻状とした場合と比較して平板状体に巻癖がつくのを防止することができる。
【０００７】
前記第１折曲部と直交する方向に、前記平板状体を折曲可能とする第２折曲部を有することができる。これにより、第２折曲部を折り曲げて平板状体をＬ字状とした場合、第２折曲部は複数の第１折曲部に跨って第２折曲部にて第１折曲部を伸ばすことができ、平板状体を一層均一にのばすことができる。
【０００８】
渦巻状とされた不使用状態において、前記第１折曲部が外側を向くものとしたり、前記第１折曲部が内側を向くものとしたりすることができる。
【０００９】
不使用状態における渦巻状を矩形状としたり、楕円形状としたりすることができる。
【００１０】
本考案の別の折畳式ボードは、複数のクッション性を有する平板状体を折曲部を介して連設されてなるボード本体と、前記ボード本体を渦巻状に巻取る芯部材とを備え、前記芯部材は自由状態で前記ボード本体を渦巻状に維持する弾性力を有し、この弾性力に抗した引出し力の付与にてボード本体の展開を許容するものである。
【００１１】
本考案の別の折畳式ボードによれば、ボード本体を渦巻状に巻取る芯部材を備えているので、前記芯部材がボード本体を渦巻状に維持し、また、この弾性力に抗した引出し力の付与にてボード本体の展開を許容することができる。また、ボード本体としては、前記平板状体を使用することができるので、ボード本体に折目がつきにくくなり、従来の蛇腹状に折畳んだ場合と比較してボード本体に折癖がつくのを防止することができる。また、ボード本体の展開時に端部がはね上がりにくくなって、従来の丸巻状とした場合と比較して平板状体に巻癖がつくのを防止することができる。
【考案の効果】
【００１２】
本考案の折畳式ボードは、平板状体に折癖や巻癖がつくのを防止することができるため、平板状体をフラットな面とすることができ、使用時には使いやすいものとなる。しかも、不使用時には、コンパクトに折畳むことができて収納しやすい。さらには、１方向に平板状体を巻回させればよいので、巻回しやすいという利点もある。
【００１３】
第２折曲部を設けると、平板状体を一層均一にのばすことができ、一層使いやすいものとなる。
【００１４】
芯部材を設けると、平板状体の巻取り作業を容易に行うことができる。すなわち、巻取状の折畳み状態と、展開状の使用状態との切換操作容易化を図ることができるとともに、折畳みは弾性力で行うことができるので、より操作性に優れたものとなる。
【考案を実施するための最良の形態】
【００１５】
以下本考案の実施の形態を図１〜図６に基づいて説明する。
【００１６】
本考案の第１実施形態に係る折畳式ボードは、例えば、人の保温・保護機能を有するマットであって、使用中においては、マットを平板状に展開して使用するものであり、不使用時においてはコンパクトに折畳まれるものである。
【００１７】
第１実施形態に係る折畳式ボード１は、図１に示すように、平板状体６ａ、６ｂ・・・６ｈを第１折曲部２ａ、２ｂ・・・２ｇを介して連設し、平板状体６ａ、６ｂ・・・６ｈが同一平面状に配設されるものである。折畳式ボード１の表面１ａには、その短辺４ａ、４ｂに平行に延びる切込みから形成される第１折曲部２ａ、２ｂ・・・２ｇを有している。第１折曲部２ａ、２ｂ・・・２ｇは、所定間隔毎に複数設けられている。ここで、所定間隔とは、図２に示すような平板状体の折り曲げを可能とするような間隔であり、各第１折曲部２ａ、２ｂ・・・２ｇが不等ピッチで配設されている。これにより、第１平板状体６ａ、第２平板状体６ｂ、第３平板状体６ｃ・・・第８平板状体６ｈは、第１折曲部２ａ、２ｂ・・・２ｇを介して折曲可能とすることができる。さらに、折畳式ボード１には、各第１折曲部２ａ、２ｂ・・・２ｇと直交する方向に、平板状体６ａ、６ｂ・・・６ｈを折曲可能とする第２折曲部３を有している。これにより、第１平板状体６ａ、第２平板状体６ｂ、第３平板状体６ｃ・・・第８平板状体６ｈは、第２折曲部３を介して折曲可能とすることができる。
【００１８】
前記折畳式ボード１は、不使用時においては、図２に示すように矩形状に折畳んだ状態で収納される。すなわち、まず第１折曲部２ａが外側となるように折り曲げて、第１平板状体６ａの裏面１ｂと第２平板状体６ｂの裏面１ｂとが重なるように第２平板状体６ｂを第１平板状体６ａに対して折り曲げる。次に、第２折曲部２ｂが外側となるように折り曲げて、第２平板状体６ｂと第３平板状体６ｃとが略直角となるように第３平板状体６ｃを第２平板状体６ｂに対して折り曲げる。以下同様に、夫々の平板状体同士が直角となるように折り曲げる。このようにして、第７折曲部２ｇが外側となるように折り曲げて第８平板状体６ｈを第７平板状体６ｇに対して折り曲げる。これにより、折畳式ボード１の表面１ａが外側となるとともに、裏面１ｂが内側となるように渦巻状に折畳まれる。
【００１９】
この折畳式ボード１の使用時においては、図１に示すように、展開された状態で使用される。すなわち、全ての第１折曲部２ａ、２ｂ・・・２ｇをのばして展開する。この場合、第２折曲部３を折り曲げて平板状体をＬ字状とした場合、第２折曲部３は複数の第１折曲部２ａ、２ｂ・・・２ｇに跨って第２折曲部３にて第１折曲部２ａ、２ｂ、・・・２ｇを伸ばすことができる。これにより、第１平板状体６ａ〜第８平板状体６ｈまでの面をフラットにすることができる。
【００２０】
本考案によれば、平板状体自体を折り曲げるのではないので、折曲部２ａ、２ｂ、・・・２ｇを介して折畳んでも平板状体６に折目がつきにくくなり、従来の蛇腹状に折畳んだ場合と比較して平板状体６に折癖がつくのを防止することができる。また、平板状体６の展開時に端部４ａ、４ｂがはね上がりにくくなるため、従来の丸巻状とした場合と比較して平板状体６に巻癖がつくのを防止することができるため、平板状体６をフラットな面とすることができ、使用時には使いやすいものとなる。しかも、不使用時には、コンパクトに折畳むことができて収納しやすい。さらには、１方向に平板状体６を巻回させればよいので、巻回しやすいという利点もある。
【００２１】
第１折曲部２ａ、２ｂ・・・２ｇと直交する方向に、前記平板状体６を折曲可能とする第２折曲部３を有することができる。これにより、第２折曲部３を折り曲げて平板状体をＬ字状とした場合、第２折曲部３は複数の第１折曲部２ａ、２ｂ・・・２ｇに跨って第２折曲部３にて第１折曲部２ａ、２ｂ・・・２ｇを伸ばすことができ、平板状体を一層均一にのばすことができる。これにより、一層使いやすいものとなる。
【００２２】
次に、本発明の折畳式ボードの第２実施形態として、図３に示すように、折畳式ボード１の裏面１ｂに、その短辺４ａ、４ｂに平行に延びる切込みから形成される第１折曲部２ａを形成することもできる。第２実施形態の折畳式ボードは、不使用時においては、図３に示すように夫々の第１折曲部２ａ、２ｂ・・・２ｇが内側となるように折畳んだ状態で収納される。この場合、前記第１実施形態と同様の方法にて平板状体６を折り曲げる。これにより、折畳式ボード１の表面１ａが外側となるとともに、裏面１ｂが内側となるように渦巻状に折畳まれる。
【００２３】
次に、本発明の折畳式ボードの第３実施形態として、平板状体６を非常に柔軟な素材を使用することができる。この素材としては、図５に示すように、折畳んだ状態で楕円形となるような屈曲を可能とする素材である。これにより、第３実施形態では図４や図５に示すように、第１折曲部２ａ〜２ｄの数を減少させることができる。この場合、第１折曲部２ａ〜２ｄの数が小さく、また、第１折曲部２ａ〜２ｄを介して隣り合う面が直角とならないので、第１折曲部２ａ〜２ｄでの折目が一層つきにくくなるという利点がある。
【００２４】
次に、本発明の第４実施形態の折畳式ボードについて説明する。この場合、複数のクッション性を有する平板状体６を折曲部２を介して連設されてなるボード本体２１と、前記ボード本体２１を渦巻状に巻取る芯部材１１とを備え、前記芯部材１１は自由状態で前記ボード本体２１を渦巻状に維持する弾性力を有し、この弾性力に抗した引出し力の付与にてボード本体２１の展開を許容するものとできる。すなわち、平板状体６であるボード本体２１は、布１０を介して芯部材１１に接合されている。芯部材１１は、パイプ部材１３と、パイプ部材１３の内部に設けられる図示省略の巻きバネとシャフト１２とから構成されている。そして、シャフト１２を回転させるとボード本体１の巻取り作業を行うことができ、逆の方向に回転させるとボード本体２１を展開することが可能となる。また、図示省略のストッパを設けたりすることもでき、所望の長さの平板状体６のみを展開することが可能となって、用途を拡大することができる（この場合は、第２折曲部３を折り曲げてＬ字状とすることは不可能であり、第１折曲部２ａ、２ｂ・・・２ｇと第２屈曲部３とを伸ばした状態で使用することになる。）。
【００２５】
このように、本発明の第４実施形態の折畳式ボードでは、芯部材１１を設けると、平板状体６の巻取り作業を容易に行うことができる。すなわち、巻取状の折畳み状態と、展開状の使用状態との切換操作容易化を図ることができるとともに、折畳みは弾性力で行うことができるので、より操作性に優れたものとなる。また、ストッパを設けることによって、所望の長さの平板状体のみを展開することが可能となって、用途を拡大することができる。
【００２６】
以上、本考案の実施形態につき説明したが、本考案は前記実施形態に限定されることなく種々の変形が可能であって、例えば、平板状体６の形状としては、矩形状に限られず、正方形であってもよい。平板状体６の素材としては、ウレタン、ゴムスポンジ、ポリオレフィンフォーム等種々のものを採用できる。また、各第１折曲部２や第２折曲部３の切込み深さを相違させてもよい。前記本考案に係る平板状体６の表面全体に、フィルム・不織布・布・アルミ箔等を溶着もしくは貼着させてもよい。
【００２７】
第１折曲部２の数、配設ピッチは種々変更可能であり、第２折曲部３を２箇所以上設けることも可能である。前記実施形態では、第１折曲部２を不等間隔に設けたが、等間隔（例えば、５ｃｍきざみ）に設けて渦巻状とすることもできる。用途としても、レジャーシートに限るものではなく、使用時には第２折曲部３を折り曲げて側面視Ｌ字形となるように立てかけて使用しても良い。さらには、折畳式ボードを荷物や箱型の物（例えば、ペットケージ）のようなものに沿わせて使用しても良い。
【図面の簡単な説明】
【００２８】
【図１】本考案の第１実施形態の折畳式ボードの使用状態の斜視図である。
【図２】本考案の第１実施形態の折畳式ボードの不使用状態の平面図である。
【図３】本考案の第２実施形態の折畳式ボードの不使用状態の平面図である。
【図４】本考案の第３実施形態の折畳式ボードの使用状態の斜視図である。
【図５】本考案の第３実施形態の折畳式ボードの不使用状態の平面図である。
【図６】本考案の第４実施形態の折畳式ボードの使用状態の平面図である。
【符号の説明】
【００２９】
１     折畳式ボード
２     第１折曲部
３     第２折曲部
６     平板状体
１１   芯部材
２１   ボード本体
【図１】
0003143988.tif 000003
【図２】
0003143988.tif 000004
【図３】
0003143988.tif 000005
【図４】
0003143988.tif 000006
【図５】
0003143988.tif 000007
【図６】
0003143988.tif 000008
【手続補正書】
【提出日】平成20年5月29日(2008.5.29)
【手続補正１】
【補正対象書類名】実用新案登録請求の範囲
【補正対象項目名】全文
【補正方法】変更
【補正の内容】
【実用新案登録請求の範囲】
【請求項１】
複数のクッション性を有する平板状体を第１折曲部を介して連設し、平板状体が同一平面状に配設される使用状態と、第１折曲部を介して折曲げられて渦巻状とされる不使用状態との変位を可能としたことを特徴とする折畳式ボード。
【請求項２】
前記第１折曲部と直交する方向に、前記平板状体を折曲可能とする第２折曲部を有することを特徴とする請求項１の折畳式ボード。
【請求項３】
渦巻状とされた不使用状態において、前記第１折曲部が外側を向くことを特徴とする請求項１又は請求項２の折畳式ボード。
【請求項４】
渦巻状とされた不使用状態において、前記第１折曲部が内側を向くことを特徴とする請求項１又は請求項２の折畳式ボード。
【請求項５】
不使用状態における渦巻状が矩形状であることを特徴とする請求項１〜請求項４のいずれか１項の折畳式ボード。
【請求項６】
不使用状態における渦巻状が楕円形状であることを特徴とする請求項１〜請求項４のいずれか１項の折畳式ボード。
【請求項７】
複数のクッション性を有する平板状体を折曲部を介して連設されてなるボード本体と、前記ボード本体を渦巻状に巻取る芯部材とを備え、前記芯部材は自由状態で前記ボード本体を渦巻状に維持する弾性力を有し、この弾性力に抗した引出し力の付与にてボード本体の展開を許容することを特徴とする折畳式ボード。